(57)【要約】【課題】工期の短縮化を図ることができる、あるいは床面に設置するプレートの材料を比較的自由に選択することができる床面の改修工法およびトイレ改修工法を提供することを目的とする。【解決手段】床面に凹部を形成し、前記凹部の底面に高さ調整可能な複数の脚体を設置し、前記脚体の上面と同じ位置又は前記脚体の上面よりも高い位置まで硬化性を有する第１の充填材を前記凹部に敷き詰め、前記敷き詰めた前記第１の充填材の上にプレートを設置し、前記プレートの下面を前記脚体の上面に接触させることを特徴とする床面の改修工法が提供される。【選択図】図１
2013092027.tif 000002
【特許請求の範囲】
【請求項１】
床面に凹部を形成し、
前記凹部の底面に高さ調整可能な複数の脚体を設置し、
前記脚体の上面と同じ位置又は前記脚体の上面よりも高い位置まで硬化性を有する第１の充填材を前記凹部に敷き詰め、
前記敷き詰めた前記第１の充填材の上にプレートを設置し、前記プレートの下面を前記脚体の上面に接触させることを特徴とする床面の改修工法。
【請求項２】
前記プレートは、所定位置に形成された開口部を有し、
前記開口部の位置に前記第１の充填材を前記凹部の底面まで取り除いた除去部を形成し、
硬化性を有し硬化時間が前記第１の充填材の硬化時間よりも短い第２の充填材を前記除去部に流し込むことを特徴とする請求項１記載の床面の改修工法。
【請求項３】
前記床面は、トイレ室の床面であり、
前記開口部が形成された前記所定位置は、前記トイレ室に設置される便器を前記床面に固定するための固定具取り付け位置であることを特徴とする請求項２記載の床面の改修工法。
【請求項４】
前記プレートは、陶磁器質タイル、石材、およびセメント材パネルの少なくともいずれかにより形成され、前記プレートの下に設けられた前記第１の充填材が硬化する前に前記プレートの上に載って作業可能な強度を有することを特徴とする請求項１〜３のいずれか１つに記載の床面の改修工法。
【請求項５】
前記プレートは、テーパ部が形成された端部を有し、
前記端部を既設の床面に載置することを特徴とする請求項１〜４のいずれか１つに記載の床面の改修工法。
【請求項６】
段差部を有する床面に設置された和風便器を洋風便器に改修するトイレ改修工法であって、
前記和風便器を除去し、
前記和風便器の排水管を残したままで前記段差部を除去して前記床面に凹部を形成し、
前記凹部の底面に高さ調整可能な複数の脚体を設置し、
前記脚体の上面と同じ位置又は前記脚体の上面よりも高い位置まで硬化性を有する第１の充填材を前記凹部に敷き詰め、
前記敷き詰めた前記第１の充填材の上にプレートを設置し、前記プレートの下面を前記脚体の上面に接触させ、
前記和風便器の前記排水管と前記洋風便器の排水口とを接続部材を介して接続し、前記プレートの上に前記洋風便器を載置することを特徴とするトイレ改修工法。
【請求項７】
前記プレートにおける前記洋風便器または前記接続部材の固定具の位置に開口部を形成し、
前記開口部の位置に前記第１の充填材を前記凹部の底面まで取り除いた除去部を形成し、
前記プレートの下面を前記脚体の上面に接触させた後に、硬化性を有し硬化時間が前記第１の充填材の硬化時間よりも短い第２の充填材を前記除去部に流し込み、前記第２の充填材の上面の位置を前記プレートの下面と前記プレートの上面との間の位置とし、
前記第２の充填材が硬化した後に、前記洋風便器の前記固定具を前記第２の充填材に固定することを特徴とする請求項６記載のトイレ改修工法。
【請求項８】
前記プレートは、陶磁器質タイル、石材、およびセメント材パネルの少なくともいずれかにより形成され、前記プレートの下に設けられた前記第１の充填材が硬化する前に前記プレートの上に載って作業可能な強度を有することを特徴とする請求項６または７に記載のトイレ改修工法。
【請求項９】
前記プレートは、テーパ部が形成された端部を有し、
前記端部を既設の床面に載置することを特徴とする請求項６〜８のいずれか１つに記載のトイレ改修工法。
【発明の詳細な説明】
【技術分野】
【０００１】
本発明の態様は、一般的に、床面の改修工法およびトイレ改修工法に関する。
【背景技術】
【０００２】
例えばコンクリートなどにより形成された床面の改修工事を行うために、床面のハツリ作業を行う場合がある。また、例えば和風両用便器などと呼ばれる大小便兼用の和風便器が設けられたトイレ室には、一般的に、段差が床面に設けられている。そのため、例えば段差部を有する床面に設置された和風便器を洋風便器に改修するために、段差部のハツリ作業を行う場合がある。  
このような改修工事においては、ハツリ作業を行った部分（ハツリ部分）の壁や床の補修に時間がかかるため、改修工事の工期が比較的長期化する。
【０００３】
これに対して、伸縮自在の脚ボルトを有するユニットトイレパンをコンクリート打設箇所上面に直接載置するのではなく、床スラブの下段部上面及び脚ボルト受けアングル部材に支持し、浮いた状態で敷き込む水洗トイレの改修工法がある（特許文献１）。特許文献１に記載された水洗トイレの改修工法によれば、打設されたコンクリートの乾燥固化とは全く関係なくユニットトイレパンを敷き込むことが出来る。コンクリートの乾燥固化を待つ必要がなく、工事を進めることができる。
【０００４】
しかしながら、特許文献１に記載された水洗トイレの改修工法では、ユニットトイレパンの枠体の四隅及び中間部から下方に向かって伸縮可能な脚ボルトがそれぞれ突設されているため、ユニットトイレパンの下方には、空洞が存在する。そのため、ユニットトイレパンを形成する材料は、比較的高強度を有するものに限定される。例えばタイルや石材などのような衝撃で割れるおそれがある材料を用いることは、困難である。
【０００５】
また、和風便器の上部内に蓋材を嵌め込み、この蓋材の上側に高強度板を配置し、高強度板周囲の床の自硬性材料を供給するトイレの和洋改修方法がある（特許文献２）。特許文献２に記載されたトイレの和洋改修方法によれば、和風便器内に充填物を充填しないため、和風便器が重量物とならず、和風便器を支持している床スラブへの負荷を少なくすることができる。
【０００６】
しかしながら、特許文献２に記載されたトイレの和洋改修方法では、高強度板の下方に蓋材を介して空洞が存在する。そのため、高強度板および蓋材の材料は、比較的高強度を有するものに限定される。例えばタイルや石材などのような衝撃で割れるおそれがある材料を用いることは、困難である。
【先行技術文献】
【特許文献】
【０００７】
【特許文献１】特開２００１−２７１４０９号公報
【特許文献２】特開２００８−２２３３８２号公報
【発明の概要】
【発明が解決しようとする課題】
【０００８】
本発明は、かかる課題の認識に基づいてなされたものであり、工期の短縮化を図ることができる、あるいは床面に設置するプレートの材料を比較的自由に選択することができる床面の改修工法およびトイレ改修工法を提供することを目的とする。
【課題を解決するための手段】
【０００９】
第１の発明は、床面に凹部を形成し、前記凹部の底面に高さ調整可能な複数の脚体を設置し、前記脚体の上面と同じ位置又は前記脚体の上面よりも高い位置まで硬化性を有する第１の充填材を前記凹部に敷き詰め、前記敷き詰めた前記第１の充填材の上にプレートを設置し、前記プレートの下面を前記脚体の上面に接触させることを特徴とする床面の改修工法である。
【００１０】
この床面の改修工法によれば、脚体は、第１の充填材が硬化していなくとも、プレートにかかる荷重を支えることができる。そのため、第１の充填材が硬化していなくとも、プレートを第１の充填材の上に設置した後すぐに、作業者は、プレートの上に載って作業を行うことができる。また、第１の充填材が硬化していなくとも、作業者は、プレートの上に載って作業を進めることができるため、床面の改修工事の工期の短縮化を図ることができる。
【００１１】
また、プレートの下には第１の充填材が敷き詰められ充填されている。そのため、第１の充填材は、硬化した後にはプレートにかかる荷重を面全体で支えることができる。そのため、プレートは第１の充填剤が硬化する前に作業者が上に載って作業可能な強度を有していればよく、プレートを形成する材料を比較的高強度を有する材料に限定せず、比較的自由に選択することができる。
【００１２】
また、第２の発明は、第１の発明において、前記プレートは、所定位置に形成された開口部を有し、前記開口部の位置に前記第１の充填材を前記凹部の底面まで取り除いた除去部を形成し、硬化性を有し硬化時間が前記第１の充填材の硬化時間よりも短い第２の充填材を前記除去部に流し込むことを特徴とする床面の改修工法である。
【００１３】
この床面の改修工法によれば、除去部に流し込んだ第２の充填材が硬化すると、硬化した第２の充填材は、プレートに対して垂直方向だけでなく横方向（水平方向）にかかる荷重も支えることができる。そのため、プレートの位置がずれることを防止することができる。また、プレートを第１の充填材の上に設置した後に、プレートの開口部を介して除去部に第２の充填材を流し込む場合には、第１の充填材および第２の充填材と、プレートと、をより確実に密着させることができる。そして、流し込んだ第２の充填材の上面の位置がプレートの上面の位置と略同じとなるようにすることができる。これにより、プレートをより強固に固定することができる。
【００１４】
また、第３の発明は、第２の発明において、前記床面は、トイレ室の床面であり、前記開口部が形成された前記所定位置は、前記トイレ室に設置される便器を前記床面に固定するための固定具取り付け位置であることを特徴とする床面の改修工法である。
【００１５】
この床面の改修工法によれば、プレートを第１の充填材の上に設置した後すぐに、便器をプレートの上に取り付けることができる。そのため、改修工事の工期の短縮化を図ることができる。また、プレートの開口部は、便器を床面に固定するための固定具取り付け位置に設けられている。そのため、プレートに新たに別の穴を設ける必要はなく、除去部に流し込んだ第２の充填材の部分に固定具を取り付けることができる。
【００１６】
また、第４の発明は、第１〜第３のいずれか１つの発明において、前記プレートは、陶磁器質タイル、石材、およびセメント材パネルの少なくともいずれかにより形成され、前記プレートの下に設けられた前記第１の充填材が硬化する前に前記プレートの上に載って作業可能な強度を有することを特徴とする床面の改修工法である。
【００１７】
この床面の改修工法によれば、プレートの下には第１の充填材が敷き詰められ充填されている。そのため、例えば、タイルや石材などのようにプレートの下に空洞が存在すると衝撃で割れるおそれがあるような材料であっても、プレートの材料として使用することができる。
【００１８】
また、第５の発明は、第１〜第４のいずれか１つの発明において、前記プレートは、テーパ部が形成された端部を有し、前記端部を既設の床面に載置することを特徴とする床面の改修工法である。
【００１９】
この床面の改修工法によれば、床面の全体を撤去することなく、ハツリ部分をより小さくすることができる。そのため、改修工事の工期の短縮化を図ることができる。
【００２０】
また、第６の発明は、段差部を有する床面に設置された和風便器を洋風便器に改修するトイレ改修工法であって、前記和風便器を除去し、前記和風便器の排水管を残したままで前記段差部を除去して前記床面に凹部を形成し、前記凹部の底面に高さ調整可能な複数の脚体を設置し、前記脚体の上面と同じ位置又は前記脚体の上面よりも高い位置まで硬化性を有する第１の充填材を前記凹部に敷き詰め、前記敷き詰めた前記第１の充填材の上にプレートを設置し、前記プレートの下面を前記脚体の上面に接触させ、前記和風便器の前記排水管と前記洋風便器の排水口とを接続部材を介して接続し、前記プレートの上に前記洋風便器を載置することを特徴とするトイレ改修工法である。
【００２１】
このトイレ改修工法によれば、脚体は、第１の充填材が硬化していなくとも、プレートにかかる荷重を支えることができる。そのため、第１の充填材が硬化していなくとも、プレートを第１の充填材の上に設置した後すぐに、作業者は、プレートの上に載って作業を行うことができる。また、第１の充填材が硬化していなくとも、作業者は、プレートの上に載って作業を進めることができるため、段差部を有する床面に設置された和風便器を洋風便器に改修するトイレ改修工事の工期の短縮化を図ることができる。
【００２２】
また、プレートの下には第１の充填材が敷き詰められ充填されている。そのため、第１の充填材は、硬化した後にはプレートにかかる荷重を面全体で支えることができる。そのため、プレートは第１の充填剤が硬化する前に作業者が上に載って作業可能な強度を有していればよく、プレートを形成する材料を比較的高強度を有する材料に限定せず、比較的自由に選択することができる。
【００２３】
また、第７の発明は、第６の発明において、前記プレートにおける前記洋風便器または前記接続部材の固定具の位置に開口部を形成し、前記開口部の位置に前記第１の充填材を前記凹部の底面まで取り除いた除去部を形成し、前記プレートの下面を前記脚体の上面に接触させた後に、硬化性を有し硬化時間が前記第１の充填材の硬化時間よりも短い第２の充填材を前記除去部に流し込み、前記第２の充填材の上面の位置を前記プレートの下面と前記プレートの上面との間の位置とし、前記第２の充填材が硬化した後に、前記洋風便器の前記固定具を前記第２の充填材に固定することを特徴とするトイレ改修工法である。
【００２４】
このトイレ改修工法によれば、除去部に流し込んだ第２の充填材が硬化すると、硬化した第２の充填材は、プレートに対して垂直方向だけでなく横方向（水平方向）にかかる荷重も支えることができる。そのため、プレートの位置がずれることを防止することができる。また、プレートを第１の充填材の上に設置した後に、プレートの開口部を介して除去部に第２の充填材を流し込むので、第１の充填材および第２の充填材と、プレートと、をより確実に密着させることができる。そして、流し込んだ第２の充填材の上面の位置がプレートの下面とプレートの上面との間の位置となるようにすることができる。これにより、プレートをより強固に固定することができる。
【００２５】
また、段差部を有する床面に設置された和風便器を洋風便器に改修するトイレ改修工事において、プレートの開口部は、洋風便器の固定具の位置に設けられている。そのため、プレートに新たに別の穴を設ける必要はなく、除去部に流し込んだ第２の充填材の部分に固定具を取り付けることができる。
【００２６】
また、第８の発明は、第６または第７の発明において、前記プレートは、陶磁器質タイル、石材、およびセメント材パネルの少なくともいずれかにより形成され、前記プレートの下に設けられた前記第１の充填材が硬化する前に前記プレートの上に載って作業可能な強度を有することを特徴とするトイレ改修工法である。
【００２７】
このトイレ改修工法によれば、プレートの下には第１の充填材が敷き詰められ充填されている。そのため、例えば、タイルや石材などのようにプレートの下に空洞が存在すると衝撃で割れるおそれがあるような材料であっても、プレートの材料として使用することができる。
【００２８】
また、第９の発明は、第６〜第８のいずれか１つの発明において、前記プレートは、テーパ部が形成された端部を有し、前記端部を既設の床面に載置することを特徴とするトイレ改修工法である。
【００２９】
このトイレ改修工法によれば、床面の全体を撤去することなく、段差部だけを撤去することにより、段差部を有する床面に設置された和風便器を洋風便器に改修するトイレ改修工事を実施することができる。そのため、段差部を有する床面に設置された和風便器を洋風便器に改修するトイレ改修工事の工期の短縮化を図ることができる。
【発明の効果】
【００３０】
本発明の態様によれば、工期の短縮化を図ることができる、あるいは床面に設置するプレートの材料を比較的自由に選択することができる床面の改修工法およびトイレ改修工法が提供される。
【図面の簡単な説明】
【００３１】
【図１】本発明の実施の形態にかかる床面の改修工法を表すフローチャート図である。
【図２】本実施形態にかかる床面の改修工法を表す模式図である。
【図３】本実施形態にかかる床面の改修工法を表す模式図である。
【図４】本実施形態にかかる床面の改修工法を表す模式図である。
【図５】本実施形態にかかる床面の改修工法を表す模式図である。
【図６】本実施形態にかかる床面の改修工法を表す模式図である。
【図７】本実施形態にかかる床面の改修工法を表す模式図である。
【図８】本実施形態にかかる床面の改修工法を表す模式図である。
【図９】本実施形態にかかる床面の改修工法を表す模式図である。
【図１０】本実施形態の変形例にかかる床面の改修工法を表すフローチャート図である。
【図１１】本変形例にかかる床面の改修工法の一部を表す断面模式図である。
【図１２】本発明の他の実施の形態にかかるトイレ改修工法を表すフローチャート図である。
【図１３】本実施形態にかかるトイレ改修工法を表す模式図である。
【図１４】本実施形態にかかるトイレ改修工法を表す模式図である。
【図１５】本実施形態にかかるトイレ改修工法を表す模式図である。
【図１６】本実施形態にかかるトイレ改修工法を表す模式図である。
【図１７】本実施形態にかかるトイレ改修工法を表す模式図である。
【図１８】本実施形態のプレートの設置形態の具体例を例示する平面模式図である。
【図１９】本実施形態の脚体の設置形態の具体例を例示する平面模式図である。
【図２０】本実施形態の脚体の設置形態の他の具体例を例示する平面模式図である。
【図２１】速硬性モルタルの打設範囲の具体例を例示する平面模式図である。
【図２２】速硬性モルタルの打設範囲の他の具体例を例示する平面模式図である。
【図２３】洋風便器の設置形態の具体例を例示する平面模式図である。
【図２４】図２３に表した切断面Ｃ−Ｃにおける断面模式図である。
【図２５】図２３に表した切断面Ｄ−Ｄにおける断面模式図である。
【図２６】本実施形態のプレートの設置形態の他の具体例を例示する平面模式図である。
【図２７】図２６に表した切断面Ｅ−Ｅにおける断面模式図である。
【図２８】本実施形態のプレートの設置形態のさらに他の具体例を例示する平面模式図である。
【図２９】本実施形態のプレートの設置形態のさらに他の具体例を例示する平面模式図である。
【図３０】本実施形態のプレートの設置形態のさらに他の具体例を例示する平面模式図である。
【図３１】図３０に表した切断面Ｆ−Ｆにおける断面模式図である。
【図３２】本実施形態のプレートの設置形態のさらに他の具体例を例示する平面模式図である。
【図３３】図３２（ａ）に表した切断面Ｈ−Ｈにおける断面模式図である。
【発明を実施するための形態】
【００３２】
以下、本発明の実施の形態について図面を参照しつつ説明する。なお、各図面中、同様の構成要素には同一の符号を付して詳細な説明は適宜省略する。  
図１は、本発明の実施の形態にかかる床面の改修工法を表すフローチャート図である。  また、図２〜図９は、本実施形態にかかる床面の改修工法を表す模式図である。  
なお、図２〜図５（ａ）は、床面の改修箇所を斜め上方から眺めた斜視模式図である。図５（ｂ）〜図９は、図５（ａ）に表した切断面Ａ−Ａにおける断面模式図に相当する。
【００３３】
本実施形態にかかる床面の改修工法では、まず、図２に表したように、床面に凹部１０１を形成する（ステップＳ１０１）。既設の床面１０３は、例えばタイルや石材やコンクリートなどにより形成されている。そのため、凹部１０１は、例えば既設の床面１０３のハツリ作業を行った部分（ハツリ部分）に相当する。但し、既設の床面１０３の材料は、これだけに限定されるわけではない。
【００３４】
ハツリ作業を行った後の凹部１０１の底面は、不陸な状態となっている。そのため、図３に表したように、凹部１０１の不陸調整のために、捨打ちモルタル１０４を凹部１０１に打設する（ステップＳ１０３）。これにより、捨打ちモルタル１０４を打設する前と比較して、凹部１０１の底面を平らにすることができる。捨打ちモルタル１０４が速硬性モルタルの場合には、捨打ちを完了してから例えば約３０分〜１時間程度が経過すると、作業者は、打設した速硬性モルタル１０５の上に載って作業を行うことができる。なお、捨打ちモルタル１０４の材料は、速硬性モルタルに限定されるわけではない。捨打ちモルタル１０４の材料は、例えば樹脂などであってもよい。
【００３５】
図３に表したように、捨打ちモルタル１０４が凹部１０１に打設された後でも、捨打ちモルタル１０４の上面は、既設の床面１０３よりも低い位置に存在する。そのため、凹部１０１の形状は、捨打ちモルタル１０４が打設された後でも維持されている。これにより、本願明細書においては、凹部１０１の底面という範囲には、凹部１０１に打設された捨打ちモルタル１０４の上面が含まれるものとする。
【００３６】
続いて、図４に表したように、高さを調整可能な複数の脚体１０７を凹部１０１の底面（本実施形態では凹部１０１に打設された捨打ちモルタル１０４の上面）に設置する（ステップＳ１０５）。本実施形態では、４つの脚体１０７を設置する。但し、脚体１０７の設置数は、これだけに限定されるわけではない。脚体１０７は、後述するプレート１１３（図７参照）の高さ調整を行うことができる。なお、脚体１０７は、例えばエポキシ系接着剤などにより凹部１０１の底面に接着され固定される。
【００３７】
続いて、例えばレーザ墨出し器などにより脚体１０７のレベル（水平）出しを適宜実施する。そして、凹部１０１に打設された捨打ちモルタル１０４の上面にプライマを塗布する（ステップＳ１０７）。これにより、後に打設するモルタル（第１の充填材）１０９や速硬性モルタル（第２の充填材）１０５の接着性を向上させることができる。なお、プライマの塗布（ステップＳ１０７）については、接着性が確保できる場合には省略することができる。  
第２充填材１０５の硬化時間は、第１の充填材１０９の硬化時間よりも短い。つまり、第１の充填材１０９および第２の充填材１０５は、硬化性を有する。
【００３８】
続いて、図５（ａ）および図５（ｂ）に表したように、凹部１０１に打設された捨打ちモルタル１０４の上面にモルタル１０９を敷き詰める（ステップＳ１０９）。このとき、図５（ｂ）に表したように、脚体１０７の上面１０７ａよりも例えば約２ｍｍ〜３ｍｍ程度高い位置までモルタル１０９を敷き詰める。但し、モルタル１０９は、脚体１０７の上面１０７ａの高さと同じ高さあるいは上面１０７ａよりも高く敷き詰められ、プレート１１３を下方に押しつけるように設置したときに圧縮され、プレート１１３の下面が脚体１０７の上面に接することができる高さを有していればよい。
【００３９】
モルタル１０９が速硬性モルタル１０５などと比較するとより少ない量の水を含んだバサバサモルタルである場合には、硬化した後であっても、器具（例えば洋風便器など）を設置し固定するために必要なアンカ固定材を設置できない場合がある。  
そこで、図６に表したように、例えば洋風便器などの器具を設置するときの器具固定具の位置に相当する部分のモルタル１０９をステップＳ１０３において凹部１０１に打設した捨打ちモルタル１０４の上面まで除去し、除去部１１１を形成する（ステップＳ１１１）。後述するように、除去部１１１には、速硬性モルタル１０５が打設される。また、図６に表したように、脚体１０７の上面１０７ａを覆うモルタル１０９を除去し、脚体１０７の上面１０７ａを露出させる。これにより、後に設置するプレート１１３と脚体１０７の上面１０７ａとの間にモルタル１０９が介在することを防止し、プレート１１３のレベルを確保することができる。
【００４０】
続いて、モルタル１０９がバサバサモルタルである場合には、モルタル１０９の表面にセメントペーストを塗布する。このとき、脚体１０７の上面１０７ａには、セメントペーストを塗布しない。なお、モルタル１０９が後に設置するプレート１１３との充分な接着性能を有する場合には、セメントペーストを塗布しなくてもよい。続いて、図７に表したように、敷き詰めたモルタル１０９の上にプレート１１３を設置する（ステップＳ１１３）。このとき、図７に表したように、プレート１１３の下面１１３ａが脚体１０７の上面１０７ａと接触するように、プレート１１３を設置する。プレート１１３は、例えば陶磁器質タイルや石材やセメント系パネルなどにより形成されている。プレート１１３は、プレート１１３の下に敷き詰められたモルタル１０９が硬化する前において、作業者がプレート１１３の上に載って作業を行うことができる強度を有する。
【００４１】
ステップＳ１０９に関して前述したように、モルタル１０９は、脚体１０７の上面１０７ａの高さよりも例えば約２ｍｍ〜３ｍｍ程度高い位置まで敷き詰められている一方で、モルタル１０９を形成する材料同士の間に隙間を有する。また、プレート１１３を設置した際には、モルタル１０９は、まだ硬化していない。そのため、敷き詰めたモルタル１０９の上にプレート１１３を設置した後、そのプレート１１３を下方へ押すことによりモルタル１０９を圧縮し、プレート１１３の下面１１３ａを脚体１０７の上面１０７ａに当接させることができる。
【００４２】
また、図７に表したように、プレート１１３は、開口部１１３ｂを有する。開口部１１３ｂは、器具を床面に設置するときに固定するための固定具取り付け位置に設けられている。そして、プレート１１３に形成された開口部１１３ｂの位置がモルタル１０９の除去部１１１の位置に合うようにする。
【００４３】
続いて、図８に表したように、プレート１１３の開口部１１３ｂを介してモルタル１０９の除去部１１１に速硬性モルタル１０５を流し込み充填させる（ステップＳ１１５）。このとき、除去部１１１に流し込んだ速硬性モルタル１０５の上面１０５ａの高さがプレート１１３の上面１１３ｃの高さと略同じとなるようにする。また、プレート１１３の外周と、凹部１０１の側面１０１ａと、の間の隙間に速硬性モルタル１０５を流し込み充填させる（ステップＳ１１５）。このときにも、プレート１１３の外周と、凹部１０１の側面１０１ａと、の間の隙間に流し込んだ速硬性モルタル１０５の上面１０５ａの高さがプレート１１３の上面１１３ｃの高さと略同じとなるようにする。
【００４４】
続いて、図９に表したように、床面に設置する器具が例えば洋風便器である場合には、洋風便器３０１をプレート１１３の上に載置する。そして、速硬性モルタル１０５が硬化した後、除去部１１１に流し込んだ速硬性モルタル１０５に洋風便器３０１の固定具３０３や接続部材の固定具３２３（図２３参照）を固定する。なお、器具は洋風便器に限定されるわけではない。
【００４５】
本実施形態によれば、脚体１０７は、モルタル１０９が硬化していなくとも、プレート１１３にかかる荷重を支えることができる。そのため、モルタル１０９が硬化していなくとも、プレート１１３をモルタル１０９の上に設置した後すぐに、作業者は、プレート１１３の上に載って作業を行うことができる。また、モルタル１０９が硬化していなくとも、作業者は、プレート１１３の上に載って作業を進めることができるため、床面の改修工事の工期の短縮化を図ることができる。
【００４６】
また、図７に表したように、プレート１１３の下にはモルタル１０９が充填されている。そのため、モルタル１０９は、硬化した後にはプレート１１３にかかる荷重を面全体で支えることができる。そのため、プレート１１３は、第１の充填材１０９が硬化する前に作業者が上に載って作業可能な強度を有していればよく、プレート１１３を形成する材料を比較的高強度を有する材料に限定せず、比較的自由に選択することができる。
【００４７】
また、ステップＳ１１５において、除去部１１１に流し込んだ速硬性モルタル１０５、およびプレート１１３の外周と凹部１０１の側面１０１ａとの間の隙間に流し込んだ速硬性モルタル１０５が硬化すると、硬化した速硬性モルタル１０５は、プレート１１３に対して垂直方向だけでなく横方向（水平方向）にかかる荷重も支えることができる。そのため、プレート１１３の位置がずれることを防止することができる。また、ステップＳ１１３およびステップＳ１１５に関して前述したように、プレート１１３をモルタル１０９の上に設置した後に、プレート１１３の開口部１１３ｂを介してモルタル１０９の除去部１１１に速硬性モルタル１０５を流し込む。そのため、モルタル１０９および速硬性モルタル１０５と、プレート１１３と、をより確実に密着させることができる。そして、流し込んだ速硬性モルタル１０５の上面１０５ａの高さがプレート１１３の上面１１３ｃの高さと略同じとなるようにすることができる。これにより、プレート１１３をより強固に固定することができる。但し、速硬性モルタル１０５の上面１０５ａの高さは、プレート１１３の上面１１３ｃの高さと略同じに限定されるわけではなく、プレート１１３の下面１１３ａと、プレート１１３の上面１１３ｃと、の間の位置であればよい。ここで、「プレート１１３の下面１１３ａと、プレート１１３の上面１１３ｃと、の間の位置」という範囲には、プレート１１３の下面１１３ａと同じ高さの位置、およびプレート１１３の上面１１３ｃと同じ高さの位置が含まれるものとする。
【００４８】
さらに、プレート１１３をモルタル１０９の上に設置した後すぐに、例えば洋風便器３０１などの器具をプレート１１３の上に取り付けることができる。そのため、改修工事の工期の短縮化を図ることができる。また、プレート１１３の開口部１１３ｂは、器具の固定具取り付け位置に設けられている。そのため、プレート１１３に新たに別の穴を設ける必要はなく、除去部１１１に流し込んだ速硬性モルタル１０５の部分に固定具を取り付けることができる。
【００４９】
次に、本実施形態の変形例にかかる床面の改修工法について、図面を参照しつつ説明する。  
図１０は、本実施形態の変形例にかかる床面の改修工法を表すフローチャート図である。  
また、図１１は、本変形例にかかる床面の改修工法の一部を表す断面模式図である。  
なお、図１１は、図５（ａ）に表した切断面Ａ−Ａにおける断面模式図に相当する。
【００５０】
本変形例にかかる床面の改修工法では、図１０に表したように、図１に関して前述した床面の改修工法に対して、ステップＳ１１１およびステップＳ１１３の順序が逆となっている。すなわち、本変形例にかかる床面の改修工法では、図１１に表したように、まず先に、敷き詰めたモルタル１０９の上にプレート１１３を設置する（ステップＳ１１３）。その後、例えば洋風便器などの器具を設置するときの器具固定具の位置に相当する部分のモルタル１０９をプレート１１３の開口部１１３ｂを介して除去する（ステップＳ１１１）。プレート１１３の開口部１１３ｂを介してモルタル１０９を部分的に除去した状態は、図７に表した状態と同様である。本変形例のその他の床面の改修工法は、図１〜図９に関して前述した床面の改修工法と同様である。
【００５１】
本変形例によれば、プレート１１３の開口部１１３ｂを介してモルタル１０９を部分的に除去するため、プレート１１３に形成された開口部１１３ｂの位置を速硬性モルタル１０５を流し込む除去部１１１の位置により容易に合わせることができる。また、図１〜図９に関して前述した効果と同様の効果が得られる。
【００５２】
次に、本発明の他の実施の形態について、図面を参照しつつ説明する。  
図１２は、本発明の他の実施の形態にかかるトイレ改修工法を表すフローチャート図である。  
また、図１３〜図１７は、本実施形態にかかるトイレ改修工法を表す模式図である。  
なお、図１３〜図１７（ａ）は、トイレ室の改修箇所を上方から眺めた斜視模式図である。図１７（ｂ）は、図１７（ａ）に表した切断面Ｂ−Ｂにおける断面模式図である。
【００５３】
本実施形態にかかるトイレ改修工法では、図１３に表したように、段差部２０２を有する床面に設置された和風便器３１１を洋風便器３０１（図９参照）に改修する。本実施形態にかかるトイレ改修工法では、まず、段差部２０２を有する床面に設置された和風便器３１１を除去する（ステップＳ２０１）。続いて、図１４に表したように、和風便器３１１の排水管３１５を残したままで段差部２０２を除去し凹部２０４を形成する（ステップＳ２０３）。上段床面２０１、段差部２０２、および下段床面（既設の床面）２０３は、例えばタイルや石材やコンクリートなどにより形成されている。但し、上段床面２０１、段差部２０２、および下段床面２０３の材料は、これだけに限定されるわけではない。
【００５４】
ハツリ作業を行った後の凹部２０４の底面は、不陸な状態となっている。そのため、図１５に表したように、凹部２０４の不陸調整のために捨打ちモルタル１０４を凹部２０４に打設する（ステップＳ２０５）。これは、図３に関して前述した如くである。
【００５５】
図１５に表したように、捨打ちモルタル１０４が凹部２０４に打設された後でも、捨打ちモルタル１０４の上面は、下段床面２０３よりも低い位置に存在する。そのため、凹部２０４の形状は、捨打ちモルタル１０４が打設された後でも維持されている。これにより、本願明細書においては、凹部２０４の底面という範囲には、凹部２０４に打設された捨打ちモルタル１０４の上面が含まれるものとする。
【００５６】
続いて、排水管３１５が残っているため、排水管３１５の位置に合わせて、設置する洋風便器３０１の墨出しを行う。そして、図１６に表したように、高さを調整可能な複数の脚体１０７を凹部２０４の底面（本実施形態では凹部２０４に打設された捨打ちモルタル１０４の上面）に設置する（ステップＳ２０７）。これは、図４に関して前述した如くである。
【００５７】
続いて、例えばレーザ墨出し器などにより脚体１０７のレベル出しを適宜実施する。そして、凹部２０４に打設された捨打ちモルタル１０４の上面にプライマを塗布する（ステップＳ２０９）。これは、図１に表したステップＳ１０７に関して前述した如くである。
【００５８】
続いて、図１７（ａ）および図１７（ｂ）に表したように、凹部２０４に打設された捨打ちモルタル１０４の上面にモルタル１０９を敷き詰める（ステップＳ２１１）。このとき、図１７（ｂ）に表したように、脚体１０７の上面１０７ａの高さよりも例えば約２ｍｍ〜３ｍｍ程度高い位置までモルタル１０９を敷き詰める。但し、モルタル１０９は、脚体１０７の上面１０７ａの高さと同じ高さあるいは上面１０７ａよりも高く敷き詰められ、プレート１１３を下方に押しつけるように設置したときに圧縮され、プレート１１３の下面が脚体１０７の上面に接することができる高さを有していればよい。これは、図５に関して前述した如くである。
【００５９】
続いて、図１２に表したステップＳ２１３〜ステップＳ２１７のトイレ改修工法は、図１に表したステップＳ１１１〜ステップＳ１１５に関して前述した床面の改修工法と同様である。  
続いて、和風便器３１１の排水管３１５と洋風便器３０１の排水口とを例えば排水ソケットや排水接続管などの接続部材を介して接続し、洋風便器３０１をプレート１１３の上に載置する。そして、除去部１１１に流し込んだ速硬性モルタル１０５が硬化した後、速硬性モルタル１０５に洋風便器３０１の固定具３０３や接続部材の固定具３２３（図２３参照）を固定する。
【００６０】
本実施形態によれば、脚体１０７は、モルタル１０９が硬化していなくとも、プレート１１３にかかる荷重を支えることができる。そのため、モルタル１０９が硬化していなくとも、プレート１１３をモルタル１０９の上に設置した後すぐに、作業者は、プレート１１３の上に載って作業を行うことができる。これにより、段差部２０２に設置された和風便器３１１を洋風便器３０１に改修する工事の工期の短縮化を図ることができる。
【００６１】
また、プレート１１３の開口部１１３ｂは、洋風便器３０１の固定具３０３や接続部材の固定具３２３（図２３参照）の取り付け位置に設けられている。そのため、プレート１１３に新たに別の穴を設ける必要はなく、除去部１１１に流し込んだ速硬性モルタル１０５の部分に固定具を取り付けることができる。  
さらに、プレート１１３の下にはモルタル１０９が充填されている。そのため、モルタル１０９は、硬化した後にはプレート１１３にかかる荷重を面全体で支えることができる。そのため、プレート１１３は、第１の充填材１０９が硬化する前に作業者が上に載って作業可能な強度を有していればよく、プレート１１３を形成する材料を比較的高強度を有する材料に限定せず、比較的自由に選択することができる。例えば、タイルや石材などのようにプレート１１３の下に空洞が存在すると衝撃で割れるおそれがあるような材料であっても、プレート１１３の材料として使用することができる。  
また、図１〜図９に関して前述した効果と同様の効果が得られる。
【００６２】
次に、本実施形態のプレートの設置形態等の具体例について、図面を参照しつつ説明する。  
図１８は、本実施形態のプレートの設置形態の具体例を例示する平面模式図である。  
また、図１９は、本実施形態の脚体の設置形態の具体例を例示する平面模式図である。  また、図２０は、本実施形態の脚体の設置形態の他の具体例を例示する平面模式図である。  
なお、図１８〜図２０は、トイレ室を上方から眺めた平面模式図である。
【００６３】
図１８に表した具体例では、敷き詰められたモルタル１０９の上に、第１のプレート２２１と、第２プレート２２２と、第３のプレート２２３と、が設置されている。第１のプレート２２１は、第１の開口部２２１ａと、第２の開口部２２１ｂと、第３の開口部２２１ｃと、を有する。第１の開口部２２１ａおよび第３の開口部２２１ｃは、洋風便器３０１を第１のプレート２２１に設置するときに固定するための固定具取り付け位置に設けられている。第２の開口部２２１ｂは、残された和風便器３１１の排水管３１５が設置されている位置に設けられている。そして、第１のプレート２２１は、凹部２０４の略中央部に設置されている。
【００６４】
第２のプレート２２２および第３のプレート２２３は、第１のプレート２２１の両側に設置されている。第２のプレート２２２および第３のプレート２２３の大きさは、トイレ室の大きさに合わせて適宜調整される。言い換えれば、第２のプレート２２２および第３のプレート２２３を用いることで、トイレ室の間口の調整を行うことができる。下段床面２０３の側に配置された第１〜第３のプレート２２１、２２２、２２３の端部は、下段床面２０３の上に載置されている。これについては、後に詳述する。
【００６５】
図１８に表した第１〜第３のプレート２２１、２２２、２２３の設置形態では、例えば図１９に表したように、脚体１０７は、第１のプレート２２１と、第２プレート２２２と、第３のプレート２２３と、のそれぞれの四隅に配置される。これによれば、第１〜第３のプレート２２１、２２２、２２３のレベルを確保しつつ、モルタル１０９が硬化していなくとも、第１〜第３のプレート２２１、２２２、２２３をモルタル１０９の上に設置した後すぐに、作業者は、第１〜第３のプレート２２１、２２２、２２３の上に載って作業を行うことができる。
【００６６】
あるいは、図１８に表した第１〜第３のプレート２２１、２２２、２２３の設置形態では、例えば図２０に表したように、脚体１０７は、第１のプレート２２１と、第２プレート２２２と、第３のプレート２２３と、のそれぞれの四隅および中央部に配置される。これによれば、モルタル１０９が硬化していない場合に、作業者が第１〜第３のプレート２２１、２２２、２２３の上に載って作業を行うときの第１〜第３のプレート２２１、２２２、２２３の変形や破損などをより確実に防止することができる。また、プレートの四隅に設置される脚体１０７は、２枚のプレートにまたがって設置されていてもよい。
【００６７】
図２１は、速硬性モルタルの打設範囲の具体例を例示する平面模式図である。  
また、図２２は、速硬性モルタルの打設範囲の他の具体例を例示する平面模式図である。  
なお、図２１および図２２は、トイレ室を上方から眺めた平面模式図である。
【００６８】
例えば図１８〜図２０に関して前述したように第１〜第３のプレート２２１、２２２、２２３を設置した後、第１のプレート２２１の第１の開口部２２１ａおよび第２の開口部２２１ｂを介してモルタル１０９の除去部１１１（図６および図７参照）に速硬性モルタル１０５を打設する。これは、図１に表したステップＳ１１５あるいは図２に表したステップＳ２１７に関して前述した如くである。
【００６９】
第１のプレート２２１の第１の開口部２２１ａを介して打設される速硬性モルタル１０５の第１の打設範囲１０５ｂは、図２１に表した如くである。つまり、速硬性モルタル１０５の第１の打設範囲１０５ｂについては、第１のプレート２２１の第１の開口部２２１ａの開口範囲よりも広くすることもできる。  
また、第１のプレート２２１の第２の開口部２２１ｂを介して打設される速硬性モルタル１０５の第２の打設範囲１０５ｃは、図２１に表した如くである。つまり、速硬性モルタル１０５の第２の打設範囲１０５ｃについては、第１のプレート２２１の第２の開口部２２１ｂの開口範囲よりも広くすることもできる。
【００７０】
速硬性モルタル１０５の第１の打設範囲１０５ｂについては、第１のプレート２２１の第１の開口部２２１ａの開口範囲から約５０ミリメートル（ｍｍ）程度周囲に広がった範囲とすることもできる。つまり、図２１に表したように、速硬性モルタル１０５の第１の打設範囲１０５ｂの一端部と、その一端部に近い位置に設けられた第１のプレート２２１の第１の開口部２２１ａの一端部と、の間の距離Ｄ１は、約５０ｍｍ程度である。
【００７１】
また、速硬性モルタル１０５の第２の打設範囲１０５ｃについては、第１のプレート２２１の第２の開口部２２１ｂの開口範囲から約５０ｍｍ程度周囲に広がった範囲とすることもできる。つまり、図２１に表したように、速硬性モルタル１０５の第２の打設範囲１０５ｃの一端部と、その一端部に近い位置に設けられた第１のプレート２２１の第２の開口部２２１ｂの一端部と、の間の距離Ｄ２は、約５０ｍｍ程度である。
【００７２】
図２２に表したように、第１のプレート２２１の開口部の形状は、略円形であってもよい。すなわち、図２２に表した第１のプレート２２１は、略円形の形状を有する第１の開口部２２１ｄと、略円形の形状を有する第２の開口部２２１ｅと、略円形の形状を有する第３の開口部２２１ｆと、を有する。
【００７３】
そして、第１のプレート２２１の第１の開口部２２１ｄを介して打設される速硬性モルタル１０５の第１の打設範囲１０５ｄは、図２２に表した如くである。速硬性モルタル１０５の第１の打設範囲１０５ｄについては、第１のプレート２２１の第１の開口部２２１ｄの開口範囲から約５０ｍｍ程度周囲に広がった範囲とすることもできる。  
また、第１のプレート２２１の第２の開口部２２１ｅを介して打設される速硬性モルタル１０５の第２の打設範囲１０５ｅは、図２２に表した如くである。速硬性モルタル１０５の第２の打設範囲１０５ｅについては、第１のプレート２２１の第２の開口部２２１ｅの開口範囲から約５０ｍｍ程度周囲に広がった範囲とすることもできる。
【００７４】
その他の構造や第１〜第３のプレート２２１、２２２、２２３の設置形態などは、図２１に関して前述した構造や第１〜第３のプレート２２１、２２２、２２３の設置形態などと同様である。  
図２２に表したように、第１のプレート２２１が略円形の形状を有する第１の開口部２２１ｄと、略円形の形状を有する第２の開口部２２１ｅと、を有する場合でも、後述するように、作業者は、第１のプレート２２１の上に洋風便器３０１を取り付けることができる。
【００７５】
図２３は、洋風便器の設置形態の具体例を例示する平面模式図である。  
また、図２４は、図２３に表した切断面Ｃ−Ｃにおける断面模式図である。  
また、図２５は、図２３に表した切断面Ｄ−Ｄにおける断面模式図である。  
なお、図２３は、トイレ室を上方から眺めた平面模式図である。
【００７６】
第１のプレート２２１の第１の開口部２２１ａを介して打設された速硬性モルタル１０５が硬化した後、洋風便器３０１の固定具３０３が第１のプレート２２１の第１の開口部２２１ａを介して速硬性モルタル１０５に固定される。また、洋風便器３０１の固定具３０３が第１のプレート２２１の第３の開口部２２１ｃを介して下段床面２０３に固定される。また、第１のプレート２２１の第２の開口部２２１ｂを介して打設された速硬性モルタル１０５が硬化した後、排水接続部材のフランジ部３２１の固定具３２３が第１のプレート２２１の第２の開口部２２１ｂを介して速硬性モルタル１０５に固定される。
【００７７】
図２５に表したように、下段床面２０３の側に配置された第１のプレート２２１の端部は、下段床面２０３の上に載置されている。下段床面２０３の上に載置された第１のプレート２２１の端部は、例えばエポキシ系接着剤などにより下段床面２０３に接着され固定されている。下段床面２０３の側に配置された第１のプレート２２１の端部には、テーパ部２２１ｈが設けられている。これらは、第２のプレート２２２および第３のプレート２２３についても同様である。これによれば、トイレ室の既存の床面（下段床面２０３）を撤去することなく、段差部２０２（図１３参照）を撤去することにより本実施形態にかかるトイレ改修工事を実施することができる。そのため、段差部２０２に設置された和風便器３１１を洋風便器３０１に改修する工事の工期の短縮化を図ることができる。
【００７８】
図２３および図２４に表したように、第１〜第３のプレート２２１、２２２、２２３の外周と、凹部２０４の側面２０４ａと、の間の隙間には、速硬性モルタル１０５が打設されている。これにより、第１〜第３のプレート２２１、２２２、２２３の位置がずれることを防止することができる。また、図２４に表したように、捨打ちモルタル１０４の上面には、接着剤１０８を介して脚体１０７が設置されている。そして、脚体１０７の上面に接触するようにして第１のプレート２２１がモルタル１０９の上に設置されている。これは、第２のプレート２２２および第３のプレート２２３についても同様である。
【００７９】
第１〜第３のプレート２２１、２２２、２２３の上、且つ洋風便器３０１の後方には、キャビネット２３１が設置されている。キャビネット２３１は、凹部２０４の側面２０４ａすなわちハツリ部分を覆い隠すことができる。そのため、キャビネット２３１は、段差部２０２の撤去跡を覆い隠し、トイレ室内の見栄えをより良くすることができる。
【００８０】
なお、本願明細書においては、第１〜第３のプレート２２１、２２２、２２３の上面あるいは下段床面２０３と平行な方向であって、洋風便器３０１に座った使用者からみて前方を「前方」とし、洋風便器３０１に座った使用者からみて後方を「後方」とする。
【００８１】
次に、本実施形態のプレートの設置形態の他の具体例について、図面を参照しつつ説明する。  
図２６は、本実施形態のプレートの設置形態の他の具体例を例示する平面模式図である。  
また、図２７は、図２６に表した切断面Ｅ−Ｅにおける断面模式図である。  
なお、図２６は、トイレ室を上方から眺めた平面模式図である。
【００８２】
図２６に表したトイレ室の下段床面２０３には、凹部２０４の近傍に掃除口２０７が設けられている。掃除口２０７が下段床面２０３に設けられている場合において、図２３〜図２５に関して前述したように第１〜第３のプレート２２１、２２２、２２３の端部を下段床面２０３の上に載置させるときには、第１〜第３のプレート２２１、２２２、２２３の少なくともいずれかに穴などを形成し、掃除口２０７を露出させる必要がある。しかしながら、プレートの掃除口２０７の位置に開口を設けることは困難な場合がある。
【００８３】
そこで、本具体例では、図２７に表したように、第１のプレート２２１の端部を下段床面２０３の上に載置させることなく、第１のプレート２２１の端面２２１ｉと下段床面２０３の端面２０３ａとを対向させる。そして、第１のプレート２２１の上面の高さが下段床面２０３の高さと略同じとなるようにする。第１のプレート２２１の端面２２１ｉと、下段床面２０３の端面２０３ａと、の間の隙間には、目地材２４１を設置する。
【００８４】
本具体例によれば、掃除口２０７が下段床面２０３に設けられている場合でも、本実施形態にかかるトイレ改修工事を実施することができる。そのため、段差部２０２に設置された和風便器３１１を洋風便器３０１に改修する工事の工期の短縮化を図ることができる。
【００８５】
次に、本実施形態のプレートの設置形態のさらに他の具体例について、図面を参照しつつ説明する。  
図２８は、本実施形態のプレートの設置形態のさらに他の具体例を例示する平面模式図である。
【００８６】
図２８に表した具体例では、キャビネット２３１（図２３および図２４参照）が洋風便器３０１の後方に設置される。本具体例では、敷き詰められたモルタル１０９の上に、第１のプレート２２１と、第２プレート２２２と、第３のプレート２２３と、第４のプレート２２４と、が設置されている。第４のプレート２２４は、第１〜第３のプレート２２１、２２２、２２３の後方に設置されている。キャビネット２３１は、第４のプレート２２４の上に設置される。なお、本具体例では、キャビネット２３１が設置される部分に第４のプレート２２４を設置することなく、モルタル１０９で仕上げ処理が行われていてもよい。つまり、モルタル１０９の上面が露出し、硬化したモルタル１０９の上にキャビネット２３１が設置されてもよい。
【００８７】
下段床面２０３の側に配置された第１〜第３のプレート２２１、２２２、２２３の端部は、下段床面２０３の上にそれぞれ載置されている。下段床面２０３は、例えばタイルや石材やコンクリートなどにより形成されている。そして、下段床面２０３の側に配置された第１〜第３のプレート２２１、２２２、２２３の端部には、テーパ部２２１ｈ、２２２ｈ、２２３ｈがそれぞれ設けられている。
【００８８】
図２８に表した具体例では、トイレ室の既存の床面（下段床面２０３）を撤去しないため、ハツリ部分をより小さくすることができる。そのため、段差部２０２に設置された和風便器３１１を洋風便器３０１に改修する工事の工期の短縮化を図ることができる。図２８に表した具体例では、例えば、約１日間程度でトイレ改修工事を完了することができる。
【００８９】
図２９は、本実施形態のプレートの設置形態のさらに他の具体例を例示する平面模式図である。  
図２９（ａ）および図２９（ｂ）に表した具体例では、トイレ室の既存の床面（下段床面２０３）の上に、例えば塩化ビニルなどにより形成されたシート材２０９が設置されている。図２９（ａ）および図２９（ｂ）に表した具体例におけるプレートの設置形態は、図２８（ａ）および図２８（ｂ）に関して前述した具体例におけるプレートの設置形態とそれぞれ同様である。
【００９０】
すなわち、シート材２０９の側に配置された第１〜第３のプレート２２１、２２２、２２３の端部は、シート材２０９の上にそれぞれ載置されている。そして、シート材２０９の側に配置された第１〜第３のプレート２２１、２２２、２２３の端部には、テーパ部２２１ｈ、２２２ｈ、２２３ｈがそれぞれ設けられている。また、図２９（ｂ）に表した具体例では、キャビネット２３１が設置される部分に第４のプレート２２４を設置することなく、モルタル１０９で仕上げ処理が行われていてもよい。
【００９１】
図２９（ａ）および図２９（ｂ）に表した具体例では、トイレ室の既存の床面を撤去せず、下段床面２０３の上にシート材２０９を設置する。そのため、ハツリ部分をより小さくすることができる。これにより、段差部２０２に設置された和風便器３１１を洋風便器３０１に改修する工事の工期の短縮化を図りつつ、トイレ室の見栄えをより良くすることができる。図２９（ａ）および図２９（ｂ）に表した具体例では、例えば、約１日間程度のトイレ改修工事を２週間に跨ぐことで完了することができる。つまり、図２９（ａ）および図２９（ｂ）に表した具体例では、例えば、約２日間程度でトイレ改修工事を完了することができる。
【００９２】
図３０は、本実施形態のプレートの設置形態のさらに他の具体例を例示する平面模式図である。  
また、図３１は、図３０に表した切断面Ｆ−Ｆにおける断面模式図である。
【００９３】
図３０に表した具体例では、トイレ室の既存の床面（下段床面２０３）の上に、例えば塩化ビニルなどにより形成されたシート材２０９が設置されている。具体的には、図３１に表したように、速硬性モルタル１０５が下段床面２０３の上に打設されている。そして、その速硬性モルタル１０５の上に、シート材２０９が設置されている。
【００９４】
第１のプレート２２１は、第１のプレート２２１の上面の高さがシート材２０９の上面の高さと略同じとなるように設置されている。第１のプレート２２１の端面と、シート材２０９の端面と、の間の隙間には、目地材２４１が設置されている。これらは、第２のプレート２２２および第３のプレート２２３についても同様である。
【００９５】
図３１に表したように、シート材２０９は、トイレ室の壁面２０５に沿って上方へ延在している。シート材２０９の上面から上方へ延在したシート材２０９の端部までの距離Ｄ３は、例えば約１００ｍｍ程度である。これにより、トイレ室の床面の清掃性を向上させることができる。上方へ延在したシート材２０９の端部には、見切り材２４３が設けられている。
【００９６】
図３０に表した具体例では、敷き詰められたモルタル１０９の上に、第１のプレート２２１と、第２プレート２２２と、第３のプレート２２３と、が設置されている。
【００９７】
図３０に表した具体例では、トイレ室の既存の床面（下段床面２０３）を撤去せず、下段床面２０３の上に打設された速硬性モルタル１０５の上にシート材２０９を設置する。そのため、ハツリ部分をより小さくすることができる。これにより、段差部２０２に設置された和風便器３１１を洋風便器３０１に改修する工事の工期の短縮化を図りつつ、トイレ室の見栄えをより良くすることができる。図３０に表した具体例では、例えば、約１．５日間程度でトイレ改修工事を完了することができる。
【００９８】
図３２は、本実施形態のプレートの設置形態のさらに他の具体例を例示する平面模式図である。  
また、図３３は、図３２（ａ）に表した切断面Ｈ−Ｈにおける断面模式図である。
【００９９】
図３２（ａ）および図３２（ｂ）に表した具体例では、トイレ室の既存の床面（下段床面２０３）を除去した後、例えば陶磁器質タイルや石材やセメント系パネルなどにより形成されたプレートがトイレ室の床面全体に配置されている。
【０１００】
具体的には、図３３に表したように、下段床面２０３を除去し凹部２０４を形成する。続いて、凹部２０４の不陸調整のために、捨打ちモルタル１０４を凹部２０４に打設する。続いて、捨打ちモルタル１０４の上面に、接着剤１０８を介して脚体１０７を設置する。そして、脚体１０７の上面に接触するようにして第４のプレート２２４をモルタル１０９の上に設置する。これは、図３２（ａ）に表した第１〜第３のプレート２２１、２２２、２２３および第５のプレート２２５、ならびに図３２（ｂ）に表した第１〜第４のプレート２２１、２２２、２２３、２２４についても同様である。
【０１０１】
トイレ室の壁面２０５には、第４のプレート２２４の上面からトイレ室の壁面２０５に沿って上方へ延在する第６のプレート２２６が設けられている。第４のプレート２２４の上面から第６のプレート２２６の端部までの距離Ｄ４は、例えば約１００ｍｍ程度である。第４のプレート２２４と第６のプレート２２６との境界部には、目地材２４１が設けられている。これらにより、トイレ室の床面の清掃性を向上させることができる。
【０１０２】
図３２（ａ）に表した具体例では、敷き詰められたモルタル１０９の上に、第１のプレート２２１と、第２プレート２２２と、第３のプレート２２３と、第４のプレート２２４と、第５のプレート２２５と、が設置されている。第４のプレート２２４および第５のプレート２２５は、第１〜第３のプレート２２１、２２２、２２３の前方に設置されている。
【０１０３】
図３２（ｂ）に表した具体例では、敷き詰められたモルタル１０９の上に、第１のプレート２２１と、第２プレート２２２と、第３のプレート２２３と、第４のプレート２２４と、が設置されている。第４のプレート２２４は、第１〜第３のプレート２２１、２２２、２２３の前方に設置されている。
【０１０４】
図３２（ａ）および図３２（ｂ）に表した具体例では、下段床面２０３を除去し凹部２０４を形成する。そして、その凹部２０４に脚体１０７を設置し、脚体１０７の上面に接触するようにしてプレートをモルタル１０９の上に設置する。このようにして、トイレ室の床面全体にプレートを配置する。これによれば、段差部２０２に設置された和風便器３１１を洋風便器３０１に改修する工事の工期の短縮化を図りつつ、トイレ室の見栄えをさらに良くすることができる。図３２（ａ）および図３２（ｂ）に表した具体例では、例えば、約１．５日間程度でトイレ改修工事を完了することができる。
【０１０５】
以上、図１８〜図３３を参照しつつ、トイレ改修工法を例に挙げてプレートの設置形態の具体例について説明した。これらの具体例については、床面の改修工法についても適用可能である。例えば、図７および図８に表したプレート１１３の端部は、既設の床面１０３（図８参照）の上に載置されていてもよい。また、既設の床面１０３の側に配置されたプレート１１３の端部には、テーパ部が設けられていてもよい。
【０１０６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、プレート１１３や脚体１０７などが備える各要素の形状、寸法、材質、配置などや脚体１０７あるいは第１〜第３のプレート２２１、２２２、２２３などの設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０７】
１０１ 凹部、  １０１ａ 側面、  １０３ 床面、  １０４ 捨打ちモルタル、  １０５ 速硬性モルタル、  １０５ａ 上面、  １０５ｂ、１０５ｃ、１０５ｄ、１０５ｅ 打設範囲、  １０７ 脚体、  １０７ａ 上面、  １０８ 接着剤、  １０９ モルタル、  １１１ 除去部、  １１３ プレート、  １１３ａ 下面、  １１３ｂ 開口部、  １１３ｃ 上面、  ２０１ 上段床面、  ２０２ 段差部、  ２０３ 下段床面、  ２０３ａ 端面、  ２０４ 凹部、  ２０４ａ 側面、  ２０５ 壁面、  ２０７ 掃除口、  ２０９ シート材、  ２２１ 第１のプレート、  ２２１ａ 第１の開口部、  ２２１ｂ 第２の開口部、  ２２１ｃ 第３の開口部、  ２２１ｄ 第１の開口部、  ２２１ｅ 第２の開口部、  ２２１ｆ 第３の開口部、  ２２１ｈ テーパ部、  ２２１ｉ 端面、  ２２２ 第２のプレート、  ２２２ｈ テーパ部、  ２２３ 第３のプレート、  ２２３ｈ テーパ部、  ２２４ 第４のプレート、  ２２５ 第５のプレート、  ２２６ 第６のプレート、  ２３１ キャビネット、  ２４１ 目地材、  ２４３ 見切り材、  ３０１ 洋風便器、  ３０３ 洋風便器の固定具、  ３１１ 和風便器、  ３１５ 排水管、  ３２１ フランジ部、  ３２３ 接続部材の固定具
【図１】
2013092027.tif 000003
【図２】
2013092027.tif 000004
【図３】
2013092027.tif 000005
【図４】
2013092027.tif 000006
【図５】
2013092027.tif 000007
【図６】
2013092027.tif 000008
【図７】
2013092027.tif 000009
【図８】
2013092027.tif 000010
【図９】
2013092027.tif 000011
【図１０】
2013092027.tif 000012
【図１１】
2013092027.tif 000013
【図１２】
2013092027.tif 000014
【図１３】
2013092027.tif 000015
【図１４】
2013092027.tif 000016
【図１５】
2013092027.tif 000017
【図１６】
2013092027.tif 000018
【図１７】
2013092027.tif 000019
【図１８】
2013092027.tif 000020
【図１９】
2013092027.tif 000021
【図２０】
2013092027.tif 000022
【図２１】
2013092027.tif 000023
【図２２】
2013092027.tif 000024
【図２３】
2013092027.tif 000025
【図２４】
2013092027.tif 000026
【図２５】
2013092027.tif 000027
【図２６】
2013092027.tif 000028
【図２７】
2013092027.tif 000029
【図２８】
2013092027.tif 000030
【図２９】
2013092027.tif 000031
【図３０】
2013092027.tif 000032
【図３１】
2013092027.tif 000033
【図３２】
2013092027.tif 000034
【図３３】
2013092027.tif 000035